【事件の表示】
　特許第２８０４７５４号「冷蔵庫」の請求項１ないし２に係る特許に対する特許異議の申立てについて、次のとおり決定する。
【結論】
　特許第２８０４７５４号の請求項１ないし２に係る特許を維持する。
【理由】
Ｉ．手続の概要
　特許第２８０４７５４号の請求項１及び請求項２に係る発明についての出願は、平成７年６月１４日に特許出願した特願平７−１４７０７５号の一部を平成９年８月２２日に新たな特許出願とし、平成１０年７月１７日に特許の設定登録がなされた後、その特許について、特許異議申立人三洋電機株式会社、シャープ株式会社より特許異議の申立がなされたものである。
ＩＩ．特許異議の申立について
ＩＩ−１　本件発明
　本件特許の請求項１及び請求項２に係る発明は、その特許請求の範囲の請求項１及び請求項２に記載された次の事項により特定されるとおりのものである。
「【請求項１】冷蔵室と冷凍室と野菜室とを備えた冷蔵庫であって、前記野菜室は、前記冷蔵室と前記冷凍室との間に配置され、前記冷蔵庫は、前記冷蔵室と前記冷凍室と前記野菜室に冷気を送るための送風機と、前記冷蔵室と前記野菜室に供給する冷気の量を調整する冷気分配器と、を備え、前記送風機と前記冷気分配器は、前記野菜室の後に配置され、前記冷蔵室は、その前部に開閉ドアを備え、前記野菜室は、その前部に前記冷蔵庫に対して前後方向に移動可能な引出ドアと、該引出ドアとともに移動する野菜室収納ケースと、を備え、前記冷凍室は、その前部に前記冷蔵庫に対して前後方向に移動可能な引出ドアを備え、前記野菜室の引出ドアの上端部の高さは、冷蔵庫の設置面から８５０ｍｍ以上で１０００ｍｍ以下の範囲であり、前記冷蔵室は、前記開閉ドアの内側の最下部に取り付けられた収納ポケットを備え、さらに前記冷蔵室は、下方部に前記冷蔵室と前記野菜室よりも温度が低い貯蔵室を備え、前記収納ポケットは、前記開閉ドアが閉状態のときに前記貯蔵室の前方に配置され、前記貯蔵室は、前記冷蔵庫に対して前後方向に移動可能な貯蔵室収納ケースを備え、前記貯蔵室収納ケースの後背面は、前記野菜室の引出ドアを閉じた状態における前記野菜室収納ケースの後背面よりさらに後方に位置することを特徴とする冷蔵庫。
　【請求項２】冷蔵室と冷凍室と野菜室とを備えた冷蔵庫であって、前記野菜室は、前記冷蔵室と前記冷凍室との間に配置され、前記冷蔵庫は、前記冷蔵室と前記冷凍室と前記野菜室に冷気を送るための送風機と、前記冷蔵室と前記野菜室に供給する冷気の量を調整する冷気分配器と、を備え、前記送風機と前記冷気分配器は、前記野菜室の後に配置され、前記冷蔵室は、その前部に開閉ドアを備え、前記冷凍室は、その前部に前記冷蔵庫に対して前後方向に移動可能な引出ドアを備え、前記野菜室は、その前部に前記冷蔵庫に対して前後方向に移動可能な引出ドアと、該引出ドアとともに移動する野菜室収納ケースと、を備え、前記野菜室収納ケースは、前記野菜室の引出ドアの枠体に支持された第１の収納ケースと、該第１の収納ケースの上部後方に設けられた第２の収納ケースと、から構成され、前記野菜室の引出ドアの上端部の高さは、冷蔵庫の設置面から８５０ｍｍ以上で１０００ｍｍ以下の範囲であり、前記冷蔵室は、前記開閉ドアの内側の最下部に取り付けられた収納ポケットを備え、さらに前記冷蔵室は、下方部に前記冷蔵室と前記野菜室よりも温度が低い貯蔵室を備え、前記収納ポケットは、前記開閉ドアが閉状態のときに前記貯蔵室の前方に配置され、前記貯蔵室は、前記冷蔵庫に対して前後方向に移動可能な貯蔵室収納ケースを備え、前記貯蔵室収納ケースの後背面は、前記野菜室の引出ドアを閉じた状態における前記第１の収納ケースの後背面よりさらに後方に位置することを特徴とする冷蔵庫。」
ＩＩ−２申立ての理由の概要
（１）申立人三洋電機株式会社は、
（ａ）本件特許の請求項１及び請求項２に記載された「前記冷蔵庫と前記野菜室に供給する冷気の量を調整する冷気分配器と、を備え、」は、発明の詳細な説明に記載されていないから、特許法第３６条第６項第１号の規定に違反してなされたものであり、取り消されるべきものである、
（ｂ）本件特許の請求項１及び請求項２に係る発明は、下記の甲第１号証乃至甲第１１号証に記載された発明に基づいて当業者が容易に発明をすることができたものであり、特許法第２９条第２項の規定に違反してなされたものであるから取り消されるべきものである、
旨主張している。
甲第１号証：「冷凍冷蔵庫＜アラスカ＞総合カタログ」シャープ（株）、昭和５４年５月作成（以下、引用例１の１という。）及びシャープ冷凍冷蔵庫ＳＪ−３１０Ｇ・ＳＪ−３１０Ａ取扱説明書」シャープ（株）（以下引用例１の２という。）
甲第２号証：特開平５−２２３４３１号公報（以下、引用例２という）
甲第３号証：特開昭６２−２４２７８０号公報（以下、引用例３という。）
甲第４号証：実公昭５４−３１３９０号公報（以下、引用例４という。）
甲第５号証：特公昭３８−１５８９９号公報（以下、引用例５という。）
甲第６号証：特開平６−２６５２６０号公報（以下、引用例６という。）
甲第７号証：実願昭５２−１５６９０１号（実開昭５４−８１９５３号）のマイクロフィルム（以下、引用例７という。）
甲第８号証：特開平５−１０６９５８号公報（以下、引用例８という。）
甲第９号証：実願平３−１０２４８４号（実開平５−５２６７８号）のマイクロフィルム（以下、引用例９という。）
甲第１０号証：特開昭６３−１８３３７０号公報（以下、引用例１０という。）
甲第１１号証：特開昭６２−２７２０７７号（以下、引用例１１という。）
（２）申立人シャープ株式会社は、本件特許の請求項１及び請求項２に係る発明は下記の甲第１号証乃至甲第９号証に記載された発明に基づいて、当業者が容易に発明をすることができたものであり、特許法第２９条第２項の規定に違反してなさたものであるから取り消されるべきものである旨主張している。
甲第１号証「サービスマニュアル’８０電気冷蔵庫ＳＪ−３１０Ｇ、ＳＪ−３１０Ａの取扱説明書」シャープ（株）、昭和５４年８月発行（以下、引用例１の３という。）
甲第１号証の１：「シャープ冷凍冷蔵庫ＳＪ−３１０Ｇ・ＳＪ−３１０Ａ取扱説明書」シャープ（株）（以下引用例１の２という。）
甲第２号証：特開昭６２−１０８９８２号（以下、引用例１２という）
甲第３号証：特公昭３８−１５８９９号公報（以下、引用例５という。）
甲第４号証：特開平５−１０６９５８号（以下、引用例８という。）
甲第５号証：実公昭５４−３１３９０号公報（以下、引用例４という。）
甲第６号証：特開平６−２７３０３１号公報（以下、引用例１３という。）
甲第７号証：特開平６−３４７１６１号公報（以下、引用例１４という。）
甲第８号証：実開昭６０−６３７７７号公報（以下、引用例１５という。）
甲第９号証：「サービスマニュアル’９２電気冷蔵庫Ｎｏ．ＳＪ−Ｗ４５Ｈ−Ｗ／Ｈ／Ｔ」シャープ（株）、１９９２年３月発行（以下、引用例１６という。）
ＩＩ−３　引用例に記載の事項
　引用例１の１には、形名ＳＪ−３１０Ｇ・ＳＪ−３１０Ａの冷凍冷蔵庫の正面写真が掲載されている。
　引用例１の２及び引用例１の３には、形名ＳＪ−３１０Ｇ・ＳＪ−３１０Ａの冷凍冷蔵庫の外観図、構造図等が示されている。そして、この外観図、構造図等には、冷蔵庫の上部に冷蔵室、下部に冷凍室、冷蔵室と冷凍室の間に野菜室を設けた点、冷蔵室と野菜室と冷凍室に冷気を送るためのファンと、冷蔵室と野菜室に供給する冷気の量を調整するダンパを設けた点、ファンは、野菜室と冷凍室の間の後方に配置されている点、ダンパは、冷蔵室及び野菜室に冷気を導く通路の冷蔵室上部側に配置されている点、冷蔵室、野菜室及び冷凍室は、それぞれ、その前部に開閉ドアを備えている点、冷蔵室の開閉ドアの内側の最下部にはドアバスケットが取り付けられている点、冷蔵室はフレッシュルームを備えている点、フレッシュルームは、肉皿を備えている点が示されている。また、引用例１の２には、フレッシュルームの温度は冷蔵室及び野菜室よりも温度が低い点が示されている（第７頁「冷蔵室温度の目安」の項参照。）。また引用例１の３の図ー１には、冷蔵庫の全高が１６９０ｍｍ、野菜室のドア高さが２８４ｍｍ、冷凍室のドア高さが６０６ｍｍであることが示されている。
　引用例２には、上から順に冷蔵室２、冷凍室３、４、野菜室５を備えた冷蔵庫１において、冷蔵庫１は、冷凍室３の後に、冷蔵室２と冷凍室３、４と野菜室５に冷気を送るファン装置１５を備えるとともに、パーシャル／チルド室２２の後に、冷蔵室２と野菜室５に供給する冷気の量を調整するＲダンパ２０を備えている点、冷蔵室２はその前部に開閉扉６を備え、野菜室５はその前部に冷蔵庫１に対して前後方向に移動可能な引出式の扉１１を有してこの引出式の扉１１とともに移動する野菜室収納容器１２を備えるとともに、冷凍室３、４はその前部に冷蔵庫１に対して前後方向に移動可能な引出式の扉７、９を有してこの引出式の扉７、９とともに移動する収納容器８、１０を備えている点、冷蔵室２はその下方部に冷蔵室２と野菜室５よりも温度の低いパーシャル／チルド室２２を有し、パーシャル／チルド室２２は、収納ケースを備えている点、パーシャル／チルド室２２の後背面は、野菜室５の引出しドアを閉じた状態における野菜室収納容器１２の後背面よりさらに後方に位置する点が記載されている。また、図２の記載からみて、冷蔵室２は開閉ドア６の内側の上部から最下部に収納ポケットを有し、収納ポケットは、開閉ドア６が閉状態のときにパーシャル／チルド室２２の前方に配置されていることが窺える。
　引用例３及び引用例１２には、冷蔵庫の上部に冷蔵室８、下部に冷凍室１０、これら冷蔵室８と冷凍室１０の間に野菜室として機能する区画室９がそれぞれ独立して設けられた冷蔵庫において、冷蔵庫１には、冷凍室に冷気を送る冷凍室用送風機１４と、冷蔵室８と区画室９に冷気を送る冷蔵室用送風機２５が、それぞれ冷凍室、冷蔵室の後に設けられ、冷蔵室８と区画室９に供給する冷気の量を調整するダンパーサーモスタット４０が区画室９の後に設けられている点、冷蔵室８はその前部に開閉扉３０を備え、区画室９はその前部に冷蔵庫１に対して前後方向に移動可能な引出式の扉３５を有してこの引出式の扉３５とともに移動する容器３７を備え、容器３７は引出扉３５の枠体３６に支持されている点、冷凍室１０はその前部に冷蔵庫１に対して前後方向に移動可能な引出式の扉１７を有し、この引出式の扉１７の枠体１８に支持されて引出扉１７とともに移動するバスケット１９を備えている点、冷蔵室８はその前部の開閉扉３０の内側の上部から最下部にかけてポケットを有している点が記載されている。
　引用例４には、冷蔵庫１の上部に冷蔵室１２、下部に冷凍室１４、これら冷蔵室１２と冷凍室１４の間に野菜室１３がそれぞれ独立して設けられた冷蔵庫において、冷蔵庫１には冷蔵室１２と冷凍室１４と野菜室１３に冷気を送るファン９が野菜室１３と冷凍室１４と間の冷却器８の後に設けられている点、冷蔵室１２はその前部に開閉ドア１５を備え、冷蔵室１２はその下部に冷蔵室１２と野菜室１３よりも温度の低い低温容器２０を有する点が記載されている。
　引用例５には、冷蔵庫の上部に冷蔵室１４、下部に冷凍室２４、これら冷蔵室１４と冷凍室２４の間に野菜室２６がそれぞれ独立して設けられた冷蔵庫において、冷蔵庫１は冷蔵室１２と冷凍室１４と野菜室１３に冷気を送る扇風機３１が設けられている点、扇風機３１は野菜室１３の後に配置されている点、野菜室２６はその前部に冷蔵庫に対して前後方向に移動可能な引出パネル２１を有してこの引出パネル２１とともに移動する蓋付容器４６を備えている点、蓋付容器４６は引出パネル２１の引出し２２に支持されている点が記載されている。
　引用例６には、上から順に冷凍室２、冷蔵室４、野菜室１１とを備えた冷蔵庫１において、冷蔵庫１は冷蔵室４と冷凍室２と野菜室１１に冷気を送る冷気循環用ファン１８が設けられている点、冷蔵室４と野菜室１１よりも温度の低い低温容器を有する貯蔵室６が設けられている点、貯蔵室（チルド室）６の容器７は、図２のように貯蔵室（チルド室）６の前面扉１０に取り付けた枠体に載置されていて、冷蔵庫に対し前後方向に移動可能に支持されている点、貯蔵室６の容器７の後背面は、野菜室扉１３を閉じた状態における野菜容器１２の後背面よりさらに後方に位置している点、図１に示されるように、野菜室収納ケース１２の後方部の上部には野菜容器１２よりも小さい空間を形成した小物ケース部分を設けた点が記載されている。
　引用例７には、上から順に冷凍室２、冷蔵室３，野菜収納箱１１とを備えた冷蔵庫において、冷蔵室３には、冷蔵室３と野菜室１１よりも温度の低い肉皿１３を有する保鮮室１４が設けられ、保鮮室１４の肉皿１３の後背面は、冷蔵室用扉７を閉じた状態における野菜収納箱１３の後背面よりさらに後方に位置した点が記載されている。
　引用例８及び９には、上から順に冷凍室２４、冷蔵室２８，野菜室２７とを備えた冷蔵庫において、冷蔵室２８の下部に急冷室３０を設けた点、冷凍室２４及び野菜室２７の後方にそれぞれ送風機３５、３３を配置した点が記載されている。
　引用例１０には、冷蔵室３の下方に冷蔵室３と区画された野菜室２を有する冷蔵庫１において、野菜室２はその全面開口を閉塞する引出式の野菜室扉４が設けられ、野菜室扉４はレ一ル枠にて前後に移動可能であり、野菜室扉４にはこれとともに移動する野菜容器５が支持されている点、野菜容器５の背部上方部には、小物食品が収納されるケース９が設置されている点が記載されている。
　引用例１１には、冷蔵室２の下方に冷蔵室２と区画された野菜室３を有する冷蔵庫１において、冷蔵室２と野菜室３はそれぞれ独立したドア４、５を有する点、野菜室３の扉５に取り付けられた野菜容器６は、その背部上方部に小物容器７が設置されている点が記載されている。
　引用例１３には、上から順に冷蔵室２２、冷凍室２３、野菜室２４を備えた冷蔵庫において、冷凍室２３の後に冷蔵室２２と冷凍室２３と野菜室２４に冷気を送るためのファン３１を設けるとともに、冷蔵室２２の後に冷蔵室２２と野菜室２４に供給する冷気通路を開閉するダンパー装置４０を設けた点、冷蔵室２２の下方部に冷蔵室２２と野菜室２４より温度が低いチルドケース２８を出し入れ可能に設けた点、野菜室２４の容器の後背面より後方に、チルドケース２８の後背部が位置するようにした点、野菜室２４の容器が２個のケースからなっている点が記載されている。
　引用例１４には、上から順に冷蔵室１３、冷凍室１４、野菜室１５を備えた冷蔵庫において、冷凍室の後に冷蔵室１３と冷凍室１４と野菜室１５に冷気を送るための送風機２０を設けるとともに、冷蔵室１３の後に冷蔵室１３と野菜室１５に供給する冷気の量を調整するダンパー装置２５を設けた点、野菜室１５はその全面開口を閉塞する引出式の扉５が設けられ、扉５はレールにて前後に移動可能であり、扉５にはこれとともに移動する容器１７が支持されている点、野菜室１５の容器１７の後背面より後方に、冷蔵室１３の下部に設けた室の後背部が位置するようにした点が記載されている。
　引用例１５には、冷蔵庫前面に開閉自在に装着した引出し扉４，この扉４の裏面に取付けたコ字状のフレーム８，このフレーム８内に載置され扉４と連動する第１容器１１、第１容器１１内上方に配設された第２容器１２を有する冷蔵庫が記載されている。
　引用例１６には、上から順に冷蔵室、冷凍室、野菜室を備えた冷蔵庫において、冷蔵室の開閉扉の内側の最下部に収納ポケットを設け、収納ポケットは開閉扉が閉状態のときにチルドケースの前方に配置するようになっている点が記載されている。
ＩＩ−４判断
１．記載不備について
　本件特許の請求項１及び請求項２に記載された「前記冷蔵室と前記野菜室に供給する冷気の量を調整する冷気分配器と、を備え、」は、本件特許の明細書には、「冷気分配器５０８に送風された冷気は、該冷気分配器５０８により冷蔵室１００とチルド室１０４に分流される。」（段落【００３９】）、「また、チルド室１０４に供給された冷気の一部は野菜室に供給される。」（段落【００４４】）、「図４に戻り、冷蔵室１００背面の壁面から吹き出された冷気は、矢印に沿って、冷蔵室１００内を冷やして仕切板７１に設けた冷気通路を介して野菜室２００に導かれる。また、チルド室１０４に吹き出された冷気はトレー１２２の上面と下面を通して冷媒循環系へ戻され、冷蔵室１００や野菜室２００の冷えすぎを軽減している。」（段落【００４７】）と記載されており、この記載からみて、冷気分配器５０８で量を調整された冷気は、チルド室１０４と冷蔵室１００内に分流し、冷蔵室１００内に導かれた冷気は冷蔵室１００内を経て、野菜室２００へ供給されており、冷気は冷気分配器で量を調整された後、冷蔵室１００を経て野菜室２００に供給されるものであるから、冷気分配器５０８は冷蔵室１００と野菜室２００に供給する冷気の量を調整するものといえる。
　したがって、本件特許の請求項１及び請求項２に記載された「前記冷蔵室と前記野菜室に供給する冷気の量を調整する冷気分配器と、を備え、」は、本件特許の明細書の詳細な説明に記載された事項といえるから、本件特許の明細書の記載に、申立人三洋電機株式会社が主張するような不備はない。
２．特許法第２９条第２項について
［請求項１に係る発明について］
（１）本件特許の請求項１に係る発明（以下、「本件発明１」という。）と上記引用例１の１乃至１の３（以下、「引用例１」に記載されたものを対比すると、引用例１に記載された野菜室のドアの上端部の高さは、図面の記載からみて、冷蔵庫の設置から８５０ｍｍ以上で１０００ｍｍ以下の範囲にあるといえるから、両者は
「冷蔵室と冷凍室と野菜室とを備えた冷蔵庫であって、野菜室は、冷蔵室と冷凍室との間に配置され、冷蔵庫は、冷蔵室と前記冷凍室と前記野菜室に冷気を送るための送風機と、冷蔵室と前記野菜室に供給する冷気の量を調整する冷気分配器と、を備え、冷蔵室は、その前部に開閉ドアを備え、前記野菜室は、野菜室収納ケースを備え、前記野菜室の上端部の高さは、冷蔵庫の設置面から８５０ｍｍ以上で１０００ｍｍ以下の範囲であり、冷蔵室は、前記開閉ドアの内側の最下部に取り付けられた収納ポケットを備え、さらに前記冷蔵室は、前記冷蔵室と前記野菜室よりも温度が低い貯蔵室を備え、前記貯蔵室は、前記冷蔵庫に対して前後方向に移動可能な貯蔵室収納ケースを備えた冷蔵庫」
の点で一致し、次の点で相違する。
イ．本件発明１では、送風機と冷気分配器は野菜室の後に配置されているのに対し、引用例１に記載されたものは、送風機は冷凍室の後に、冷気分配器は冷蔵室の後に配置されている点。
ロ．本件発明１では、野菜室はその前部に冷蔵庫に対して前後方向に移動可能な引出ドアと該ドアとともに移動する野菜収納ケースを備えているのに対し、引用例１に記載されたものは野菜室のドアが開閉式である点。
ハ．本件発明１では、冷凍室はその前部に冷蔵庫に対して前後方向に移動可能な引出ドアを備えているのに対し、引用例１に記載されたものは冷凍室のドアが開閉式である点。
ニ．本件発明１では、貯蔵室は冷蔵室の下方部に設けられているのに対し、引用例１に記載されたものは冷蔵室の上方に設けられている点。
ホ．本件発明１では、収納ポケットは開閉ドアが閉状態のときに貯蔵室の前方に配置されるのに対し、引用例１に記載されたものはそのようになっていない点。
へ．本件発明１では、貯蔵室収納ケースの後背面は野菜室の引出ドアを閉じた状態における野菜室収納ケースの後背面よりさらに後方に位置するのに対し、引用例１に記載されたものはそのようになっていない点。
（２）上記相違点について検討する。
　引用例２には、上記相違点ロ、ハ、ニ、ホ及びへであげた本件発明１の構成に相当するものは記載されているが、冷蔵室２と冷凍室３、４と野菜室５に冷気を送るファン装置１５は冷凍室３の後に、冷蔵室２と野菜室５に供給する冷気の量を調整するＲダンパ２０はパーシャル／チルド室２２の後に備えられており、上記相違点イであげた本件発明１の構成を備えていない。
　なお、上記相違点ロについては、引用例３、５、１０、１１、１４及び１５に、相違点ハについては、引用例３に、相違点ニについては、引用例４、８、９，１３及び１４に、相違点ホについては、引用例８、９、１３、１４及び１６に、相違点へについては、引用例６、７、８、９及び１３にも記載されている。
　そこで、上記相違点イについて、さらに検討するに、本件発明１は、野菜室を冷蔵室と冷凍室との間に配置した冷蔵庫において、上記相違点イであげた送風機と冷気分配器を野菜室の後に配置した構成を採用することにより、冷蔵室を箱形にして収納空間を広くしようとするものである。
　これに対し、引用例３及び引用例１２に記載された冷蔵室８と野菜室に供給する冷気の量を調整するダンパサーモスタット４０は野菜室の後に配置されているが、冷凍室用の送風機１４は冷凍室の後に、冷蔵室８とと野菜室９に冷気を送る冷蔵室用送風機２５は貯蔵室８の後に配置されている。
　引用例４に記載されたファン９は野菜室１３と冷凍室１４との間に設けた冷却器８の後に配置されており、また、冷気分配器については記載されていない。
　引用例５には、扇風機３１を野菜室の後に配置した点は記載されているが、冷気分配器については何ら記載されていない。
　引用例６に記載された冷気循環用ファン１８は冷凍室の後に配置されており、また、冷気分配器については記載されていない。
　引用例７に記載された流入量調節部材たる調節板２６は冷蔵室３内に配置されており、また、送風機については記載されていない。
　引用例８、９に記載された補助送風機は３３は野菜室２７の後に配置されているが、送風機３５は冷凍室２４の後に、また、電動ダンパ３７は冷蔵室の後に配置されている。
　引用例１０、１１、１５には、送風機及び冷気分配器について何ら記載されていない。
　引用例１３に記載に記載された冷蔵室２２と冷凍室２３と野菜室２４に冷気を送るためのファン３１は冷凍室２３の後に配置され、冷蔵室２２と野菜室２４に供給する冷気の量を調節するダンパ装置４０は冷蔵室２２の後に配置されている。
　引用例１４に記載された冷蔵室１４と冷凍室１４と野菜室１５に冷気を送るための送風機２０は冷凍室２３の後に配置され、冷蔵室１３と野菜室１５に供給する冷気の量を調節するダンパー装置２５は冷蔵室１４の後に配置されている。
　引用例１６に記載された冷凍室と冷蔵室と野菜室に冷気を送るための一方のファンは冷凍室の後に配置され、一方のファンにより冷蔵室に送らる冷気を冷蔵室及び野菜室に送るための他方のファンは冷蔵室の後に配置され、、また、一方のファンにより冷蔵室に送られる冷気の量を調節するＲ電動ダンパと、一方のファンにより野菜室に送られる冷気の量を調整するＣ電動ダンパは冷蔵室の後に配置されている。
　そうしてみると、引用例１乃至１６のいずれにも、上記相違点イであげた本件発明１の構成が記載されていない。
　また、上記したように、引用例５、８及び９には、送風機を野菜室の後に配置した点が記載され、引用例３及び１２には、冷気分配器を野菜室の後に配置した点が記載されているが、引用例３、５、８、９及び１２のいずれにも、本件発明１のように、野菜室を冷蔵室と冷凍室との間に配置した冷蔵庫において、送風機と冷気分配器を野菜室の後に配置した構成を採用することにより、冷蔵室を箱形にして収納空間を広くすることについて何ら記載がなく、また、それを示唆する記載もないから、引用例３、５、８，９及び１２に記載された上記事項から上記相違点イであげた本件発明１の構成を容易に想到し得たとすることができない。
　したがって、本件発明１は、引用例１乃至１６に記載された発明に基づいて、当業者が容易に発明をすることができたとすることができない。
［請求項２に係る発明について］
　本件特許の請求項２に係る発明（以下、「本件発明２」という。）は、本件発明１で検討した上記相違点イであげた構成を備えているから、本件発明１で検討したと同様の理由により、引用例１乃至１６に記載された発明に基づいて、当業者が容易に発明をすることができたとすることができない。
ＩＩＩ．むすび
　以上のとおりであるから、特許異議の申立ての理由及び証拠によっては、本件発明１及び２についての特許を取り消すことはできない。
　また、他に、本件特許を取り消すべき理由を発見しない。
　よって、結論のとおり決定する。
【異議決定日】
平成１１年１２月１日（１９９９．１２．１）